(57)【要約】      （修正有）【課題】ペット用サークルの前枠の向こう側にあるペット収容空間に対し安易に侵入することができる前扉のスライド構造を提供する。【解決手段】ペット用サークル１の前枠２の前面に開口する開口部２６を開閉する前扉２７を設ける。この前扉２７として、開口部２６をその一側端から他側端に隣接する他側端側の壁面に沿ってスライドするスライド扉を適用する。更に、開口部２６の一側端の前柵部材一側材２０２と開口部２６の他側端の前柵部材本体２０１の一側端の縦杆との下端位置同士の間を下端連結材２０３のみによって連結する。そして、前扉２７の下側の横杆の一側端を下端連結材２０３に、前扉２７の上下の横杆の他側端を前柵部材本体２０１の上下の横杆に、それぞれスライド機構７，７，７を介してスライド自在に支持している。【選択図】図３
2018139547.tif 000002
【特許請求の範囲】
【請求項１】
枠体本体の壁面に開口する開口部を開閉する扉が設けられ、この扉として、前記開口部をその一側端から他側端に隣接する他側端側の壁面に沿ってスライドするスライド扉を適用した枠体における扉のスライド構造であって、
前記開口部の一側端と他側端との間は、当該開口部の一側端と他側端との下端位置同士の間を延びる下端連結材のみによって連結されており、
前記扉の一側端寄り部位が前記下端連結材に、前記扉の他側端寄り部位が前記開口部の他側端側の壁面に、それぞれスライド機構を介してスライド自在に支持されていることを特徴とする枠体における扉のスライド構造。
【請求項２】
前記扉の他側端寄り部位は、前記開口部の他側端側の壁面の上下両端に対しそれぞれスライド機構を介して支持されている請求項１に記載の枠体における扉のスライド構造。
【請求項３】
前記スライド機構は、
前記下端連結材及び前記他側端側の壁面上下両端をそれぞれ左右方向へ延びるスリットと、
このスリット内に摺動自在に支持され、前記扉の一側端寄り部位及び前記扉の他側端寄り部位をそれぞれ個々に前記下端連結材及び前記他側端側の壁面上下両端の表面側に摺接させるように保持するスライダと、
を備えている請求項２に記載の枠体における扉のスライド構造。
【請求項４】
前記枠体本体としては、ペットを収容するペット用サークルの周囲枠の一部が適用されている請求項１〜請求項３のいずれか１つに記載の枠体における扉のスライド構造。
【請求項５】
前記枠体本体としては、ペットを収容するペット用サークルを間仕切りする間仕切り枠が適用されている請求項１〜請求項３のいずれか１つに記載の枠体における扉のスライド構造。
【発明の詳細な説明】
【技術分野】
【０００１】
本発明は、枠体本体の壁面に設けられた開口部を開閉するようにした枠体における扉のスライド構造の改良に関する。
【背景技術】
【０００２】
近年、犬等のペットを家人の留守中や就寝時などに家屋内の一定の場所に収容しておくために、ペット用サークルが用いられている。このペット用サークルにあっては、その枠体本体の一部としての前枠に開口部を設け、この開口部を開閉する扉が設けられている。
【０００３】
このような扉としては、開口部をその一側端から他側端に隣接する他側端側の壁面に沿ってスライドするスライド扉を適用したものが知られている（特許文献１参照）。
【０００４】
この場合、枠体本体の一部としての前枠に設けた開口部の一側端と他側端との間は、当該開口部の一側端と他側端との上下両端位置同士の間を延びる上端連結材及び下端連結材によって連結されている。そして、扉は、上端連結材及び下端連結材に対しそれぞれ摺動部材を介して左右方向へスライド自在に支持されている。
【先行技術文献】
【特許文献】
【０００５】
【特許文献１】特開２０１５−１３３９１８号公報
【発明の概要】
【発明が解決しようとする課題】
【０００６】
ところが、前記従来のものでは、扉が上端連結材及び下端連結材に対しスライド自在に支持されているため、枠体本体の向こう側に侵入する際に上端連結材が邪魔となり、上端連結材を上から跨いだり、下から潜ったりしなければならず、枠体本体の向こう側に安易に侵入し難く、改良が望まれていた。
【０００７】
本発明は、かかる点に鑑みてなされたものであり、その目的とするところは、枠体本体の向こう側に安易に侵入することができる枠体における扉のスライド構造を提供することにある。
【課題を解決するための手段】
【０００８】
前記目的を達成するため、本発明では、枠体本体の壁面に開口する開口部を開閉する扉が設けられ、この扉として、前記開口部をその一側端から他側端に隣接する他側端側の壁面に沿ってスライドするスライド扉を適用した枠体における扉のスライド構造を前提とする。そして、前記開口部の一側端と他側端との間を、当該開口部の一側端と他側端との下端位置同士の間を延びる下端連結材のみによって連結する。加えて、前記扉の一側端寄り部位が前記下端連結材に、前記扉の他側端寄り部位が前記開口部の他側端側の壁面に、それぞれスライド機構を介してスライド自在に支持することを特徴としている。
【０００９】
また、前記扉の他側端寄り部位を、前記開口部の他側端側の壁面の上下両端に対しそれぞれスライド機構を介して支持することがこのましい。
【００１０】
更に、前記スライド機構に、前記下端連結材及び前記他側端側の壁面上下両端をそれぞれ左右方向へ延びるスリットと、このスリット内に摺動自在に支持され、前記扉の一側端寄り部位及び前記扉の他側端寄り部位をそれぞれ個々に前記下端連結材及び前記他側端側の壁面上下両端の表面側に摺接させるように保持するスライダと、を備えていてもよい。
【００１１】
また、前記枠体本体として、ペットを収容するペット用サークルの周囲枠の一部を適用していてもよい。
【００１２】
これに対し、前記枠体本体として、ペットを収容するペット用サークルを間仕切りする間仕切り枠を適用していてもよい。
【発明の効果】
【００１３】
以上、要するに、開口部の一側端と他側端との下端位置同士の間を下端連結材のみによって連結し、扉の一側端寄り部位を下端連結材に、扉の他側端寄り部位を他側端側の壁面にそれぞれスライド機構を介してスライド自在に支持することで、開口部の一側端と他側端との上端位置同士の間を連結する上端連結材を不要にしつつ、扉の開閉を安定して行うことが可能となる。これにより、枠体本体の向こう側に侵入する際に、上端連結材を上から跨いだり、下から潜ったりする必要がなく、枠体本体の向こう側への侵入をきわめて安易に行うことができる。
【００１４】
また、扉の他側端寄り部位を開口部の他側端側の壁面の上下両端に対しそれぞれスライド機構を介して支持することで、扉をスライドさせた際に開口部の他側端側の壁面の上下両端に対し扉が安定して保持され、扉のスライド性能をより高めることができる。
【００１５】
更に、下端連結材及び他側端側の壁面上下両端に設けたスリット内にスライダを摺動自在に支持し、扉の一側端寄り部位及び他側端寄り部位をそれぞれ個々に下端連結材及び他側端側の壁面上下両端の表面側に摺接させるように保持するスライド機構を構成することで、非常に簡単な構成で扉をスムーズにスライドさせることができる。
【００１６】
また、枠体本体として、ペットを収容するペット用サークルの周囲枠の一部を適用することで、飼い主が掃除などでペット用サークル内に侵入する際に、上端連結材を上から跨いだり、下から潜ったりする必要がなく、ペット用サークル内への飼い主の侵入をきわめて安易に行うことができる。
【００１７】
これに対し、枠体本体として、ペットを収容するペット用サークルを間仕切りする間仕切り枠を適用することで、飼い主が掃除などでペット用サークルの間仕切り壁よりも向こう側の空間内に侵入する際に、上端連結材を上から跨いだり、下から潜ったりする必要がなく、ペット用サークルの間仕切り壁よりも向こう側の空間への飼い主の侵入をきわめて安易に行うことができる。
【図面の簡単な説明】
【００１８】
【図１】本発明の第１の実施の形態に係る扉のスライド構造を用いたペット用サークルの平面図である。
【図２】図１の扉を閉塞した状態でのペット用サークルの斜視図である。
【図３】図１の扉を開放した状態でのペット用サークルの斜視図である。
【図４】図２のペット用サークルの前枠の前柵部材を前方から見た正面図である。
【図５】図２の扉を前方から見た正面図である。
【図６】図２のペット用サークルの一方の側面側の側柵部材を一側方から見た一側面図である。
【図７】図２のペット用サークルの後枠の一方の後柵部材を後方から見た背面図である。
【図８】図２のペット用サークルの後枠の左右の後柵部材同士を連結する直線部用固定具の分解斜視図である。
【図９】図２のペット用サークルのサークル本体の角部において互いに相隣なる両柵部材同士を連結する角部用固定具の分解斜視図である。
【図１０】図９の角部用固定部により連結される両柵部材同士を斜め下方から見た斜視図である。
【図１１】図９の角部用固定部により連結される両柵部材同士を上方から見た平面図である。
【図１２】図１のペット用サークルの閉塞状態での扉を前柵部材の下端連結材と共にスリット付近で切断した横断平面図である。
【図１３】図３の扉の閉塞状態でのロック機構をペット収容空間から見た斜視図である。
【図１４】第１の実施の形態の変形例に係る扉のスライド構造を用いたペット用サークルの壁面を前方から見た正面図である。
【図１５】図１４の扉を前方から見た正面図である。
【図１６】本発明の第２の実施の形態に係る扉のスライド構造を用いたペット用サークルの平面図である。
【図１７】図１６の扉を閉塞した状態でのペット用サークルの斜視図である。
【図１８】本発明の第３の実施の形態に係る扉のスライド構造を用いた枠体の斜視図である。
【発明を実施するための形態】
【００１９】
以下、本発明の実施の形態を添付した図面により詳細に説明する。
【００２０】
先ず、図１は本発明の実施の形態に係る扉のスライド構造を用いたペット用サークルの平面図、図２は扉を閉塞した状態でのペット用サークルの斜視図、図３は扉を開放した状態でのペット用サークルの斜視図をそれぞれ示している。この図１〜図３において符号１で示すペット用サークルは、ペットを収容するペット収容空間１Ａを略矩形状に囲むサークル本体１０Ａを備えている。
【００２１】
サークル本体１０Ａは、ペット収容空間１Ａの前面側を覆う前枠２と、ペット収容空間１Ａの左右両側面側を覆う左右両側枠３，３と、ペット収容空間１Ａの後面側を覆う後枠４と、を備え、これらの枠２〜４によって、ペット収容空間１Ａの枠体が構成され、平面視で略ロの字状にペット収容空間１Ａを囲んでいる。このペット用サークル１は、家屋内に設置されている。この場合、前枠２が、ペット用サークル１の枠体本体の一部として適用されている。
【００２２】
図４はペット用サークル１の前枠２の前柵部材を前方から見た正面図、図５は扉を前方から見た正面図をそれぞれ示している。
【００２３】
図４及び図５にも示すように、前枠２は、木製の枠体を有する前柵部材２０を備えている。この前柵部材２０は、断面略矩形状の左右の縦杆２２，２２と、これらの縦杆２２，２２の互いに向き合う対向面の上下両端をそれぞれ連結する断面略矩形状の上下の横杆２３，２３とを備えている。また、前柵部材２０には、上下の横杆２３，２３同士の間を幅方向所定間隔置き（例えば５〜７ｃｍ置き）に連結する柵棒体２４，２４，…が設けられている。
【００２４】
図６はペット用サークル１の左右両側枠３，３の一方の側柵部材３０を一側方から見た一側面図、図７はペット用サークル１の後枠４の一方の後柵部材４０を後方から見た背面図をそれぞれ示している。
【００２５】
図６に示すように、左右両側枠３，３は、木製の枠体を有する側柵部材３０を備えている。この側柵部材３０は、断面略矩形状の左右の縦杆３２，３２と、これらの縦杆３２，３２の互いに向き合う対向面の上下両端をそれぞれ連結する断面略矩形状の上下の横杆３３，３３とを備えている。また、各側柵部材３０には、上下の横杆３３，３３同士の間を幅方向所定間隔置き（例えば５〜７ｃｍ置き）に連結する柵棒体３４，３４，…が設けられている。
【００２６】
一方、図７に示すように、後枠４は、木製の枠体を有する２枚の後柵部材４０，４０を備えている。この各後柵部材４０は、断面略矩形状の左右の縦杆４２，４２と、これらの縦杆４２，４２の互いに向き合う対向面の上下両端をそれぞれ連結する断面略矩形状の上下の横杆４３，４３とを備えている。また、各後柵部材４０には、その各縦杆４２及び各横杆４３の内側を不透明に目隠しする木製のパネル材４７が取り付けられていて、ペットによる汚れの付着から壁面を保護している。なお、パネル材４７としては、合成樹脂などにより成形された半透明又は不透明のパネル材が適用されていてもよい。
【００２７】
図８はペット用サークル１の後枠４の左右の後柵部材４０，４０同士を連結する直線部用固定具の分解斜視図を示している。この図８において、後枠４の左右の後柵部材４０，４０は、その相隣なる双方の後柵部材４０，４０の縦杆４２，４２の表裏両側辺４１１，４１２同士をそれぞれ突き合わせた状態で直線部用固定具５により連結されている。
【００２８】
各後柵部材４０の四隅（隅部）には、上下の横杆４３，４３の幅方向両端を当該各後柵部材４０の表裏方向（図８では手前奥方向）に貫通する表裏方向貫通孔４５が設けられているとともに、各縦杆４２の上下両端部をそれぞれ幅方向（図８では左右方向）に貫通する幅方向貫通孔４６が設けられている。
【００２９】
直線部用固定具５は、サークル本体１０Ａの後枠４の各後柵部材４０，４０のそれぞれの一方の幅方向端４１側の表裏方向貫通孔４５に対応する表裏方向対応孔５１，５１を長手方向両端部に有する合成樹脂製の長尺材５２を有し、かつこの長尺材５２を当該各後柵部材４０に亘って締結するように表裏方向貫通孔４５及び表裏方向対応孔５１にそれぞれ挿通される長尺材用締結具５３を備えている。この長尺材用締結具５３は、長さ方向一端に回転操作用フランジ５３１を備えた螺子軸５３２と、長さ方向一端に回転操作用フランジ５３３を有し、かつ螺子軸５３２を螺合可能とする螺子筒５３４とを備えている。そして、長尺材用締結具５３は、サークル本体１０Ａの後枠４の各後柵部材４０の一方の幅方向端４１側の表裏方向貫通孔４５に対し長尺材５２の幅方向両端部の表裏方向対応孔５１，５１を対応させた状態で、それぞれの表裏方向対応孔５１，５１から螺子軸５３２を挿通し、各表裏方向貫通孔４５から挿通した螺子筒５３４に螺合することで、当該後枠４の各後柵部材４０に亘って長尺材５２を締結している。
【００３０】
図９はペット用サークル１のサークル本体１０Ａの角部において互いに相隣なる両柵部材３０，４０同士を連結する角部用固定具の分解斜視図、図１０は角部用固定部により連結される両柵部材３０，４０同士を斜め下方から見た斜視図、図１１は角部用固定部により連結される両柵部材３０，４０同士を上方から見た平面図をそれぞれ示している。
【００３１】
図９〜図１１に示すように、ペット用サークル１のサークル本体１０Ａの角部において互いに相隣なる一方の側柵部材３０（図１では左側の側柵部材３０）と一方の後柵部材４０（図１では左側の後柵部材４０）とを連結する角部用固定具６は、サークル本体１０Ａの角部において互いの縦杆３２，４２の裏側辺３１２，４１２同士のみを突き合わせた状態で連結している。この角部用固定具６は、中心角度が９０°の扇状に形成された扇状連結部材６１と、この扇状連結部材６１をサークル本体１０Ａの角部において互いに相隣なる一方の側柵部材３０及び一方の後柵部材４０の横杆３３，４３の裏側面３２１，４２１の端部に締結する螺着部材６２とを備えている。
【００３２】
扇状連結部材６１は、サークル本体１０Ａの角部において互いに相隣なる一方の側柵部材３０の幅方向端３１及び一方の後柵部材４０の幅方向端４１の裏側辺３１２，４１２同士に隣接する裏側面３２１，４２１に対してそれぞれ対面する半径面部６１１，６１１を有し、この各半径面部６１１には表裏方向貫通孔４５に対応する対応穴６１２が設けられている。また、螺着部材６２は、軸材の側部にねじ孔６３１を有するナット６３と、このナット６３のねじ孔６３１に螺着されるねじ６４とを備えている。更に、扇状連結部材６１の一側面６１３には、ナット６３を収納するナット収納穴６１４，６１４が設けられ、この各ナット収納穴６１４は、各半径面部６１１の対応穴６１２に対して直交している。
【００３３】
各ナット６３は、扇状連結部材６１のナット収納穴６１４の径よりやや小さい径の金属軸材からなり、この軸部材の頭部には＋状の溝６３２が形成されている。そして、角部用固定具６は、角部において互いに相隣なる一方の側柵部材３０の幅方向端３１側及び一方の後柵部材４０の幅方向端４１側の表裏方向貫通孔４５に対し扇状連結部材６１の各半径面部６１１の対応穴６１２を対応させた状態で、各ナット収納穴６１４にナット６３を収納してから、表裏方向貫通孔４５を介して対応穴６１２に挿通させたねじ６４をナット６３のねじ孔６３１に螺着することで、当該一方の側柵部材３０の幅方向端３１側及び一方の後柵部材４０の幅方向端４１側に扇状連結部材６１を締結している。このとき、各ナット６３の頭部をその溝６３２に装填したドライバーなどにより回転させることで、対応穴６１２にねじ孔６３１を合致させて当該ねじ孔６３１に対するねじ６４の螺着を可能にしている。この場合、ねじ６４は、一方の側柵部材３０の幅方向端３１側及び一方の後柵部材４０の幅方向端４１側の横杆３３，４３の表裏方向貫通孔４５及び対応穴６１２を介してナット６３のねじ孔６３１に螺着可能な長さに設定されている。
【００３４】
この場合、サークル本体１０Ａの角部において互いに相隣なる一方の側柵部材３０の幅方向端３１と一方の後柵部材４０の幅方向端４１とを角部用固定具６により連結する場合について述べたが、サークル本体１０Ａの他の角部、具体的には、互いに相隣なる他方の側柵部材３０の幅方向端３１と他方の後柵部材４０の幅方向端４１との角部、互いに相隣なる一方の側柵部材３０の幅方向端３１と前柵部材２０の前柵部材一側材２０２（後述する）との角部、互いに相隣なる他方の側柵部材３０の幅方向端３１と前柵部材２０の他方の幅方向端２１との角部においても、同様に角部用固定具６を用いて連結している。
【００３５】
また、前枠２には、開口部２６が設けられているとともに、この開口部２６を開閉する扉としての前扉２７が設けられている。また、前柵部材２０は、開口部２６の他側（図１では右側）に隣接する他側端側の壁面としての前柵部材本体２０１と、開口部２６の一側を鉛直方向へ延びる前柵部材一側材２０２とを備え、この前柵部材本体２０１の一側端の縦杆２２と前柵部材一側材２０２との間に開口部２６を構成している。そして、前柵部材２０は、開口部２６の一側端の前柵部材一側材２０２と開口部２６の他側端の前柵部材本体２０１の一側端の縦杆２２との間を延びる下端連結材２０３を備え、当該前柵部材一側材２０２と前柵部材本体２０１の一側端の縦杆２２との間を下端連結材２０３のみによって連結している。この場合、下端連結材２０３は、前柵部材２０の下側の横杆２３を一側へ延設して構成され、その延設端が木製の角材よりなる前柵部材一側材２０２の下端に連結されている。
【００３６】
前扉２７としては、開口部２６をその一側端から他側端に隣接する前柵部材本体２０１の前面に沿ってスライドするスライド扉が適用されている。前扉２７は、木製の枠体を有する前扉柵部材２７０を備えている。この前扉柵部材２７０は、断面略矩形状の左右の縦杆２７２，２７２と、これらの縦杆２７２，２７２の上下両端をそれぞれ連結する断面略矩形状の上下の横杆２７３，２７３とを備えている。また、前扉柵部材２７０には、上下の横杆２７３，２７３同士の間を幅方向所定間隔置き（例えば５〜７ｃｍ置き）に連結する柵棒体２７４，２７４，…が設けられている。そして、前扉２７は、その一側端寄り部位としての下側の横杆２７３の一側端が下端連結材２０３に、他側端寄り部位としての上下の横杆２７３，２７３の他側端が前柵部材本体２０１の上下の横杆２３，２３に、それぞれスライド機構７，７，７を介してスライド自在に支持されている。
【００３７】
図１２はペット用サークル１の閉塞状態での前扉２７を前柵部材２０の下端連結材２０３と共にスリット付近で切断した横断平面図を示している。この図１２に示すように、各スライド機構７は、下端連結材２０３を左右方向へ延びるスリット７１と、このスリット７１内に摺動自在に支持されたスライダ７２とを備えている。スライダ７２は、長さ方向一端に回転操作用フランジ７２１を有する螺子軸７２２と、長さ方向一端に回転操作用フランジ７２３を有し、かつ螺子軸７２２を螺合可能とする螺子筒７２４とを備えている。この螺子筒７２４の長さ方向一端には、回転操作用フランジ７２６が設けられている。そして、スライダ７２は、前扉２７の下側の横杆２７３の一側端を表裏方向に貫通する貫通孔７２５を下端連結材２０３のスリット７１に対し対応させた状態で、スリット７１から螺子軸７２２を挿通し、貫通孔７２５から挿通した螺子筒７２４に螺合することで、前扉２７の下側の横杆２７３の一側端を下端連結材２０３の前面側に摺接させるように保持している。
【００３８】
この場合、前柵部材２０の上下の横杆２３，２３にもそれぞれスリット７１が設けられ、このスリット７１内に摺動自在に支持されたスライダ７２によって、前扉２７の上下の横杆２７３，２７３の他側端を前柵部材２０の上下の横杆２３，２３の前面側にそれぞれ摺接させるように保持している。なお、前柵部材２０の上側の横杆２３，２３のスリット７１には、前扉柵部材２７０の上側の横杆２７３の他側端側において左右方向へ所定間隔（例えば７４ｍｍ程度）隔てた位置に設けられた一対のスライダ７２，７２が摺動自在に支持されている。
【００３９】
図１３は前扉２７の閉塞状態でのロック機構をペット収容空間１Ａから見た斜視図を示している。図１３に示すように、前扉２７の一側の縦杆２７２の上端と前柵部材一側材２０２の上端との間には、前扉２７を閉塞状態にロックするロック機構２９が設けられている。このロック機構２９は、前扉２７の一側の縦杆２７２の上端に設けられ、ペット収容空間１Ａ側に突出する突片２９０を有する位置保持ピン２９１と、縦杆２７２の表裏方向に貫通する貫通孔２７２ａ内に進退移動自在に挿通され、図示しないコイルスプリングによりペット収容空間１Ａ側に付勢された進退移動ピン２９２と、前柵部材一側材２０２の上端において他側端側に開口し、位置保持ピン２９１の突片２９０を挿通させる切欠穴２９３と、前柵部材一側材２０２の上端の前面に凹設され、進退移動ピン２９２の先端２９２ａを挿通させる係止穴２９４とを備えている。そして、前扉２７は、閉塞時に閉塞位置で前柵部材一側材２０２の上端の切欠穴２９３に位置保持ピン２９１の突片２９０を挿通させて位置決めされ、その状態で、前柵部材一側材２０２の上端の前面の係止穴２９４に進退移動ピン２９２の先端２９２ａを挿通させることによってロックされる。
【００４０】
したがって、本実施の形態では、開口部２６の一側端の前柵部材一側材２０２と開口部２６の他側端の前柵部材本体２０１の一側端の縦杆２２との間を下端連結材２０３のみによって連結し、前扉２７の下側の横杆２７３の一側端が下端連結材２０３に、前扉２７の上下の横杆２７３，２７３の他側端が前柵部材本体２０１の上下の横杆２３，２３に、それぞれスライド機構７，７，７を介してスライド自在に支持されているので、開口部２６の一側端と開口部２６の他側端との上端位置同士の間を連結する上端連結材を不要にすることが可能となる。その上、前扉２７をスライドさせた際に、開口部２６の一側端側の下端連結材２０３に対し前扉が安定して保持されつつ、開口部２６の他側端側の前柵部材本体２０１の上下の横杆２３，２３に対し前扉２７が安定して保持され、前扉２７の開閉を安定して行うことが可能となる。これにより、飼い主が掃除などでペット用サークル１内に侵入する際に、上端連結材を上から跨いだり、下から潜ったりする必要がなく、ペット用サークル１内への飼い主の侵入をきわめて安易に行うことができる。
【００４１】
また、下端連結材２０３及び前柵部材本体２０１の上下の横杆２３，２３にそれぞれ設けたスリット７１内にスライダ７２を摺動自在に支持し、前扉２７の下側の横杆２７３の一側端及び前扉２７の上下の横杆２７３，２７３の他側端をそれぞれ個々に下端連結材２０３及び前柵部材本体２０１の上下の横杆２３，２３の前面側に摺接させるように保持するスライド機構７が構成されているので、非常に簡単な構成で前扉２７をスムーズにスライドさせることができる。しかも、前柵部材２０の上側の横杆２３，２３のスリット７１に、前扉柵部材２７０の上側の横杆２７３の他側端側において左右方向へ所定間隔隔てた一対のスライダ７２，７２が摺動自在に支持されているので、前扉２７の上側での支持点間距離が確保されてスライド移動時における前扉２７の前後方向へのぶれが矯正され、前扉２７のスムーズなスライド移動に貢献することができる。
【００４２】
なお、前記第１の実施の形態では、前柵部材２０、前扉柵部材２７０及び側柵部材３０に、上下の横杆２３，２７３，３３同士の間を連結する複数の柵棒体２４，２７４，３４を設けたが、図１４及び図１５に示すように、ペット用サークル１の各柵部材２０，２７０，３０に、それぞれ上下の横杆２３，２７３，３３同士の間に設けられた柵状体２８，２７８（図１４及び図１５では前柵部材２０及び前扉柵部材２７０のもののみ示す）を設け、この柵状体２８，２７８が、細い金属棒を格子状に組み上げて形成されていてもよい。
【００４３】
次に、本発明の第２の実施の形態を図１６及び図１７に基づいて説明する。
【００４４】
この実施の形態では、扉のスライド構造を間仕切り枠にも適用している。なお、間仕切り枠を除くその他の構成は、前記第１の実施の形態と同じであり、同一部分については同じ符号を付してその詳細な説明は省略する。図１６は本発明の第２の実施の形態に係る扉のスライド構造を用いたペット用サークルの平面図、図１７は扉を閉塞した状態でのペット用サークルの斜視図をそれぞれ示している。
【００４５】
すなわち、本実施の形態では、図１６及び図１７において符号８で示すペット用サークルは、ペットを収容するペット収容空間８Ａを略矩形状に囲むサークル本体８０Ａを備えている。
【００４６】
サークル本体８０Ａは、ペット収容空間８Ａの前面側を覆う前枠２と、ペット収容空間８Ａの左右両側面側を覆う左右両側枠３，３と、ペット収容空間８Ａの後面側を覆う後枠４と、を備え、これらの枠２〜４によって、ペット収容空間８Ａの枠体が構成され、平面視で略ロの字状にペット収容空間８Ａを囲んでいる。このペット用サークル８は家屋内に設置されている。
【００４７】
また、ペット用サークル８の左右両側枠３は、それぞれ２枚の側柵部材３０，３０を備えている。この各左右両側枠３の側柵部材３０，３０は、その相隣なる双方の側柵部材３０，３０の縦杆３２，３２の表裏両側辺３１１，３１２同士をそれぞれ突き合わせた状態で、各縦杆３２の上下両端部をそれぞれ幅方向（図１６では左右方向）に貫通する幅方向貫通孔４６に挿通された長尺材用締結具５３により連結されている。
【００４８】
ペット用サークル８には、ペット収容空間８Ａを前後の収容空間８Ｂ，８Ｃに間仕切りする間仕切り枠９が設けられている。この間仕切り枠９は、木製の枠体を有する間仕切り柵部材９０を備えている。この間仕切り柵部材９０は、断面略矩形状の左右の縦杆９２，９２と、これらの縦杆９２，９２の互いに向き合う対向面の上下両端をそれぞれ連結する断面略矩形状の上下の横杆９３，９３とを備えている。また、間仕切り柵部材９０には、上下の横杆９３，９３同士の間を幅方向所定間隔置き（例えば５〜７ｃｍ置き）に連結する柵棒体２４，２４，…が設けられている。この場合、間仕切り枠９が、ペット用サークル８の枠体本体の一部として適用されている。
【００４９】
また、間仕切り枠９には、開口部９６が設けられているとともに、この開口部９６を開閉する扉としての間仕切り扉９７が設けられている。また、間仕切り柵部材９０は、開口部９６の他側（図１６では上側）に隣接する他側端側の壁面としての間仕切り柵部材本体９０１と、開口部９６の一側を鉛直方向へ延びる間仕切り柵部材一側材９０２とを備え、この間仕切り柵部材本体９０１の一側端の縦杆９２と間仕切り柵部材一側材９０２との間に開口部９６を構成している。そして、間仕切り柵部材９０は、開口部９６の一側端の間仕切り柵部材一側材９０２と開口部９６の他側端の間仕切り柵部材本体９０１の一側端の縦杆９２との間を延びる下端連結材９０３を備え、当該間仕切り柵部材一側材９０２と間仕切り柵部材本体９０１の一側端の縦杆９２との間を下端連結材９０３のみによって連結している。この場合、下端連結材９０３は、間仕切り柵部材９０の下側の横杆９３を一側へ延設して構成され、その延設端が木製の角材よりなる間仕切り柵部材一側材９０２の下端に連結されている。
【００５０】
間仕切り扉９７としては、開口部９６をその一側端から他側端に隣接する間仕切り柵部材本体９０１の前面に沿ってスライドするスライド扉が適用されている。間仕切り扉９７間仕切り扉９７は、木製の枠体を有する間仕切り扉柵部材９７０を備えている。この間仕切り扉柵部材９７０は、断面略矩形状の左右の縦杆９７２，９７２と、これらの縦杆９７２，９７２の上下両端をそれぞれ連結する断面略矩形状の上下の横杆９７３，９７３とを備えている。また、間仕切り扉柵部材９７０には、上下の横杆９７３，９７３同士の間を幅方向所定間隔置き（例えば５〜７ｃｍ置き）に連結する柵棒体２７４，２７４，…が設けられている。そして、間仕切り扉９７は、その一側端寄り部位としての下側の横杆９７３の一側端が下端連結材９０３に、他側端寄り部位としての上下の横杆９７３，９７３の他側端が間仕切り柵部材本体９０１の上下の横杆９３，９３に、それぞれスライド機構７，７，７を介してスライド自在に支持されている。
【００５１】
この場合、間仕切り柵部材９０の上下の横杆９３，９３にもそれぞれスリット７１が設けられ、このスリット７１内に摺動自在に支持されたスライダ７２によって、間仕切り扉９７の上下の横杆９７３，９７３の他側端を間仕切り柵部材９０の上下の横杆９３，９３の前面側にそれぞれ摺接させるように保持している。なお、間仕切り柵部材９０の上側の横杆９３，９３のスリット７１には、間仕切り扉柵部材９７０の上側の横杆９７３の他側端側において左右方向へ所定間隔（例えば７４ｍｍ程度）隔てた位置に設けられた一対のスライダ７２，７２が摺動自在に支持されている。
【００５２】
この実施の形態では、開口部９６の一側端の間仕切り柵部材一側材９０２と開口部９６の他側端の間仕切り柵部材本体９０１の一側端の縦杆９２との間を下端連結材９０３のみによって連結し、間仕切り扉９７の下側の横杆９７３の一側端が下端連結材９０３に、間仕切り扉９７の上下の横杆９７３，９７３の他側端が間仕切り柵部材本体９０１の上下の横杆９３，９３に、それぞれスライド機構７，７，７を介してスライド自在に支持されているので、開口部９６の一側端と開口部９６の他側端との上端位置同士の間を連結する上端連結材を不要にすることが可能となる。その上、間仕切り扉９７をスライドさせた際に、開口部９６の一側端側の下端連結材９０３に対し前扉が安定して保持されつつ、開口部９６の他側端側の前柵部材本体９０１の上下の横杆９３，９３に対し間仕切り扉９７が安定して保持され、間仕切り扉９７の開閉を安定して行うことが可能となる。これにより、飼い主が掃除などでペット用サークル８の間仕切り枠９よりも後側の収容空間８Ｃ内に侵入する際に、上端連結材を上から跨いだり、下から潜ったりする必要がなく、後側の収容空間８Ｃへの飼い主の侵入をきわめて安易に行うことができる。
【００５３】
また、下端連結材９０３及び間仕切り柵部材本体９０１の上下の横杆９３，９３にそれぞれ設けたスリット７１内にスライダ７２を摺動自在に支持し、間仕切り扉９７の下側の横杆９７３の一側端及び間仕切り扉９７の上下の横杆９７３，９７３の他側端をそれぞれ個々に下端連結材９０３及び間仕切り柵部材本体９０１の上下の横杆９３，９３の前面側に摺接させるように保持するスライド機構７が構成されているので、非常に簡単な構成で間仕切り扉９７をスムーズにスライドさせることができる。しかも、間仕切り柵部材９０の上側の横杆９３，９３のスリット７１に、間仕切り扉柵部材９７０の上側の横杆９７３の他側端側において左右方向へ所定間隔隔てた一対のスライダ７２，７２が摺動自在に支持されているので、間仕切り扉９７の上側での支持点間距離が確保されてスライド移動時における間仕切り扉９７の前後方向へのぶれが矯正され、間仕切り扉９７のスムーズなスライド移動に貢献することができる。
【００５４】
次に、本発明の第３の実施の形態を図１８に基づいて説明する。
【００５５】
この実施の形態では、扉のスライド構造を枠体に適用している。なお、枠体の構成は、前記第１の実施の形態の前枠を流用しており、同一部分については同じ符号を付してその詳細な説明は省略する。図１８は本発明の第３の実施の形態に係る扉のスライド構造を用いた枠体の斜視図を示している。
【００５６】
すなわち、本実施の形態では、図１８において符号８１で示す枠体としてのゲートは、乳幼児やペットなどの通過を阻むゲート本体８１０Ａを備えている。
【００５７】
ゲート本体８１０Ａは、前柵部材２０と、この前柵部材２０の左右両側にそれぞれ内方側端が連結された側柵部材８２とを備えている。
【００５８】
各側柵部材８２は、断面略矩形状の左右の縦杆８２２，８２２と、これらの縦杆８２２，８２２の上下両端をそれぞれ連結する断面略矩形状の上下の横杆８２３，８２３とを備えている。また、各側柵部材８２には、上下の横杆８２３，８２３同士の間を幅方向所定間隔置き（例えば５〜７ｃｍ置き）に連結する柵棒体２４，２４，…が設けられている。
【００５９】
また、ゲート本体８１０Ａは、各側柵部材８２の外方側端にそれぞれ縦杆８３１が取り付けられた脚部材８３を備えている。この脚部材８３は、縦杆８３１の下端に前後方向中間部が固着されて前後両方向へ延びる脚体８３２を備えている。そして、ゲート本体８１０Ａは、前柵部材２０、各側柵部材８２及び各脚部材８３によって平面視で略Ｉの字状に形成され、各脚部材８３の前後方向への延設に伴ってゲート８１の前後方向への倒れを防止している。
【００６０】
各側柵部材８２の横杆８２３の内方側端は、前柵部材２０の左右両側の前柵部材一側材２０２及び前柵部材本体２０１の他側端の縦杆２２に対しそれぞれ直線部用固定具５により連結されている。
【００６１】
この実施の形態においても、ゲート本体８１０Ａにおける前扉２７の下側の横杆２７３の一側端が下端連結材２０３に、前扉２７の上下の横杆２７３，２７３の他側端が前柵部材本体２０１の上下の横杆２３，２３に、それぞれスライド機構７，７，７を介してスライド自在に支持されていることにより、開口部２６の一側端と開口部２６の他側端との上端位置同士の間を連結する上端連結材を不要にすることが可能となる。その上、前扉２７をスライドさせた際に、開口部２６の一側端側の下端連結材２０３に対し前扉が安定して保持されつつ、開口部２６の他側端側の前柵部材本体２０１の上下の横杆２３，２３に対し前扉２７が安定して保持され、前扉２７の開閉を安定して行うことが可能となる。これにより、ゲート本体８１０Ａの向こう側に侵入する際に、上端連結材を上から跨いだり、下から潜ったりする必要がなく、ゲート本体８１０Ａの向こう側への侵入をきわめて安易に行うことができる。
【００６２】
しかも、各脚部材８３の前後方向への延設に伴ってゲート８１の前後方向への倒れを防止していることにより、ゲート８１を単独で起立させた状態で安心して利用することができる。
【００６３】
なお、本実施の形態は、前記各実施の形態に限定されるものではなく、その他種々の変形例を包含している、たとえば、前記各実施の形態では、後枠４の各後柵部材４０に木製のパネル材４７を取り付けたが、後枠の各後柵部材に、上下の横杆同士の間を連結する複数の柵棒体が設けられていてもよい。更に、側枠の側柵部材や前枠の前柵部材、または前扉柵部材に木製のパネル材が取り付けられていてもよい。
【００６４】
また、前記各実施の形態では、前枠２にその開口部２６を開閉する前扉２７を取り付けたが、左右の側枠または後枠に、開口部を設け、その開口部を開閉する扉が取り付けられていてもよい。
【符号の説明】
【００６５】
１            ペット用サークル（枠体）
１Ａ          ペット収容空間
１０Ａ        サークル本体（枠体本体）
２            前枠（枠体本体の一部）
２６          開口部
２７          前扉（扉）
２０１        前柵部材本体（開口部の他側端側の壁面）
２０２        前柵部材一側材（開口部の一側端）
２０３        下端連結材
７            スライド機構
７１          スリット
７２          スライダ
８            ペット用サークル（枠体）
８Ａ          ペット収容空間
８Ｃ          後側の収容空間
８０Ａ        サークル本体（枠体本体）
８１          ゲート（枠体）
８１０Ａ      ゲート本体（枠体本体）
９            間仕切り壁（枠体本体の一部）
９６          開口部
９７          間仕切り扉（扉）
９０１        間仕切り柵部材本体（開口部の他側端側の壁面）
９０２        間仕切り柵部材一側材（開口部の一側端）
９０３        下端連結材
【図１】
2018139547.tif 000003
【図２】
2018139547.tif 000004
【図３】
2018139547.tif 000005
【図４】
2018139547.tif 000006
【図５】
2018139547.tif 000007
【図６】
2018139547.tif 000008
【図７】
2018139547.tif 000009
【図８】
2018139547.tif 000010
【図９】
2018139547.tif 000011
【図１０】
2018139547.tif 000012
【図１１】
2018139547.tif 000013
【図１２】
2018139547.tif 000014
【図１３】
2018139547.tif 000015
【図１４】
2018139547.tif 000016
【図１５】
2018139547.tif 000017
【図１６】
2018139547.tif 000018
【図１７】
2018139547.tif 000019
【図１８】
2018139547.tif 000020